【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
媒体と同色または媒体に対して不可視色の液体を前記媒体に吐出する第１のノズル列と、
前記媒体と異なる色または前記媒体に対して可視色の液体を前記媒体に吐出する第２のノズル列と、
前記第１のノズル列と前記第２のノズル列からの液体の吐出を制御する制御部であって、前記第２のノズル列から前記媒体と異なる色または前記媒体に対して可視色の液体を吐出して形成したパターンに基づいて求められた補正量を用いて、前記第１のノズル列における吐出タイミングと前記第２のノズル列における吐出タイミングとを補正可能な制御部と、
を備える液体吐出装置。
【請求項２】
前記第２のノズル列から吐出される液体は有色の液体である、請求項１に記載の液体吐出装置。
【請求項３】
前記第２のノズル列を複数有し、
前記制御部は、前記複数の第２のノズル列からそれぞれ前記媒体と異なる色または前記媒体に対して可視色の液体を吐出して形成したパターンから求められる吐出タイミングの補正量の平均を用いて、前記第１のノズル列における吐出タイミングを補正可能である、請求項２に記載の液体吐出装置。
【請求項４】
前記補正量の平均は、前記第１のノズル列を挟む２つの前記第２のノズル列の補正量の平均である、請求項３に記載の液体吐出装置。
【請求項５】
前記液体はインクであり、
前記補正量の平均は、前記第２のノズル列においてライトインクを吐出するノズル列の補正量の平均である、請求項３に記載の液体吐出装置。
【請求項６】
透明な液体を前記媒体に吐出する透明液体用ノズル列と、
有色の液体を前記媒体に吐出する有色液体用ノズル列と、
前記透明液体用ノズル列と前記有色液体用ノズル列からの液体の吐出を制御する制御部であって、前記有色液体用ノズル列から前記媒体に液体を吐出して形成したパターンに基づいて求められた補正量を用いて、前記透明液体用ノズル列における吐出タイミングと前記有色液体用ノズル列における吐出タイミングとを補正可能な制御部と、
を備える液体吐出装置。
【請求項７】
媒体と異なる色または前記媒体に対して可視色の液体を吐出する第２のノズル列から前記媒体に該媒体と異なる色または前記媒体に対して可視色の液体を吐出してパターンを形成することと、
前記パターンに基づいて求められた補正量を用いて、前記第２のノズル列における吐出タイミングを補正するとともに、前記媒体と同色または前記媒体に対して不可視色の液体を吐出する第１のノズル列における吐出タイミングを補正することと、
を含む吐出タイミング補正方法。
【請求項８】
有色の液体を吐出する有色液体用ノズル列から媒体に前記有色の液体を吐出してパターンを形成することと、
前記パターンに基づいて求められた補正量を用いて、前記有色液体用ノズル列における吐出タイミングを補正するとともに、透明の液体を吐出する透明液体用ノズル列における吐出タイミングを補正することと、
を含む吐出タイミング補正方法。
【手続補正２】
【補正対象書類名】明細書
【補正対象項目名】０００５
【補正方法】変更
【補正の内容】
【０００５】
しかしながら、媒体と同色、又は、例えば透明のインクのように媒体に対して不可視色については、視認することが困難であるため、インクの着弾位置のずれを検出することが難しい。そうすると、媒体と同色、又は、媒体に対して不可視色のインクの吐出タイミングを調整することも困難となる。しかしながら、媒体と同色、又は、媒体に対して不可視色のインクについても適切な位置に着弾させることが求められているため、媒体と同色、又は、媒体に対して不可視色のインクについても吐出タイミングを適切に調整することが望ましい。
【手続補正３】
【補正対象書類名】明細書
【補正対象項目名】０００６
【補正方法】変更
【補正の内容】
【０００６】
本発明は、このような事情に鑑みてなされたものであり、媒体と同色、又は、媒体
に対して不可視色の液体についても吐出タイミングを適切に調整することを目的とする。
【手続補正４】
【補正対象書類名】明細書
【補正対象項目名】０００７
【補正方法】変更
【補正の内容】
【０００７】
上記目的を達成するための主たる発明は、
媒体と同色または媒体に対して不可視色の液体を前記媒体に吐出する第１のノズル列と、
前記媒体と異なる色または前記媒体に対して可視色の液体を前記媒体に吐出する第２のノズル列と、
前記第１のノズル列と前記第２のノズル列からの液体の吐出を制御する制御部であって、前記第２のノズル列から前記媒体と異なる色または前記媒体に対して可視色の液体を吐出して形成したパターンに基づいて求められた補正量を用いて、前記第１のノズル列における吐出タイミングと前記第２のノズル列における吐出タイミングとを補正可能な制御部と、
を備える液体吐出装置である。
【手続補正５】
【補正対象書類名】明細書
【補正対象項目名】００１１
【補正方法】変更
【補正の内容】
【００１１】
媒体と同色または媒体に対して不可視色の液体を前記媒体に吐出する第１のノズル列と、
前記媒体と異なる色または前記媒体に対して可視色の液体を前記媒体に吐出する第２のノズル列と、
前記第１のノズル列と前記第２のノズル列からの液体の吐出を制御する制御部であって、前記第２のノズル列から前記媒体と異なる色または前記媒体に対して可視色の液体を吐出して形成したパターンに基づいて求められた補正量を用いて、前記第１のノズル列における吐出タイミングと前記第２のノズル列における吐出タイミングとを補正可能な制御部と、
を備える液体吐出装置。
このようにすることで、媒体と同色または媒体に対して不可視色の液体についても吐出タイミングを適切に調整することができる。
【手続補正６】
【補正対象書類名】明細書
【補正対象項目名】００１２
【補正方法】変更
【補正の内容】
【００１２】
かかる液体吐出装置であって、前記第２のノズル列から吐出される液体は有色の液体であることが望ましい。
また、前記第２のノズル列を複数有し、前記制御部は、前記複数の第２のノズル列からそれぞれ前記媒体と異なる色または前記媒体に対して可視色の液体を吐出して形成したパターンから求められる吐出タイミングの補正量の平均を用いて、前記第１のノズル列における吐出タイミングを補正可能であることが望ましい。また、前記補正量の平均は、前記第１のノズル列を挟む２つの前記第２のノズル列の補正量の平均であることとしてもよい。また、前記液体はインクであり、前記補正量の平均は、前記第２のノズル列においてライトインクを吐出するノズル列の補正量の平均であってもよい。
このようにすることで、媒体と同色または媒体に対して不可視色の液体についても吐出タイミングを適切に調整することができる。
【手続補正７】
【補正対象書類名】明細書
【補正対象項目名】００１３
【補正方法】変更
【補正の内容】
【００１３】
透明な液体を前記媒体に吐出する透明液体用ノズル列と、
有色の液体を前記媒体に吐出する有色液体用ノズル列と、
前記透明液体用ノズル列と前記有色液体用ノズル列からの液体の吐出を制御する制御部であって、前記有色液体用ノズル列から前記媒体に液体を吐出して形成したパターンに基づいて求められた補正量を用いて、前記透明液体用ノズル列における吐出タイミングと前記有色液体用ノズル列における吐出タイミングとを補正可能な制御部と、
を備える液体吐出装置。
このようにすることで、媒体と同色または媒体に対して不可視色の液体についても吐出タイミングを適切に調整することができる。
【手続補正８】
【補正対象書類名】明細書
【補正対象項目名】００１４
【補正方法】変更
【補正の内容】
【００１４】
媒体と異なる色または前記媒体に対して可視色の液体を吐出する第２のノズル列から前記媒体に該媒体と異なる色または前記媒体に対して可視色の液体を吐出してパターンを形成することと、
前記パターンに基づいて求められた補正量を用いて、前記第２のノズル列における吐出タイミングを補正するとともに、前記媒体と同色または前記媒体に対して不可視色の液体を吐出する第１のノズル列における吐出タイミングを補正することと、
を含む吐出タイミング補正方法。
このようにすることで、媒体と同色または媒体に対して不可視色の液体についても吐出タイミングを適切に調整することができる。
【手続補正９】
【補正対象書類名】明細書
【補正対象項目名】００１５
【補正方法】変更
【補正の内容】
【００１５】
有色の液体を吐出する有色液体用ノズル列から媒体に前記有色の液体を吐出してパターンを形成することと、
前記パターンに基づいて求められた補正量を用いて、前記有色液体用ノズル列における吐出タイミングを補正するとともに、透明の液体を吐出する透明液体用ノズル列における吐出タイミングを補正することと、
を含む吐出タイミング補正方法。
このようにすることで、媒体と同色または媒体に対して不可視色の液体についても吐出タイミングを適切に調整することができる。